【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
コンピューティングデバイスの音声認識プロセスを制御する方法であって、
マイクロフォンからオーディオ信号を受信するステップと、
前記マイクロフォンから前記オーディオ信号を受信するのと同時に、前記コンピューティングデバイスのユーザの頭部筋肉活動を測定するように構成され、配置された筋肉運動検出器から頭部筋肉活動信号を受信するステップと、
前記オーディオ信号が前記ユーザが前記コンピューティングデバイスにオーディオコマンドを発信していることを示すオーディオ特性基準を満たすかどうか決定するステップであって、前記オーディオ特性基準が、前記ユーザが前記コンピューティングデバイスにオーディオコマンドを発信していることを示す第1の2乗平均(RMS)しきい値レベルを含む、決定するステップと、
前記頭部筋肉活動信号が前記コンピューティングデバイスの前記ユーザが発話していることを示す筋肉運動基準を満たすかどうかを決定するステップと、
前記オーディオ信号が前記ユーザが前記コンピューティングデバイスにオーディオコマンドを発信していることを示す前記オーディオ特性基準を満たすことと、前記頭部筋肉活動信号が前記コンピューティングデバイスの前記ユーザが発話していることを示す前記筋肉運動基準を満たすことの両方を決定することに応答して、ボイス認識アルゴリズムによって前記オーディオ信号を処理するステップであって、前記オーディオ信号が、前記オーディオ信号のRMSレベルが前記第1のRMSしきい値レベルを超えないとき、前記オーディオ特性基準を満たす、処理するステップと、
前記オーディオ信号が前記ユーザが前記コンピューティングデバイスにオーディオコマンドを発信していることを示す前記オーディオ特性基準を満たさないか、または前記頭部筋肉活動信号が前記コンピューティングデバイスの前記ユーザが発話していることを示す前記筋肉運動基準を満たさないかのどちらかの間に、前記ボイス認識アルゴリズムによって前記オーディオ信号を処理しないステップであって、前記オーディオ信号が、前記オーディオ信号の前記RMSレベルが前記第1のRMSしきい値レベルを超えるとき、前記オーディオ特性基準を満たさない、処理しないステップと
を含む、方法。
【請求項２】
前記オーディオ信号が前記ユーザが前記コンピューティングデバイスにオーディオコマンドを発信していることを示すオーディオ特性基準を満たすかどうかを決定するステップが、
前記オーディオ信号を音声の特性音色パターンと比較するステップと、
前記オーディオ信号が、音色パターン整合しきい値を超える程度に、音声の前記特性音色パターンに整合するかどうかを決定するステップと、
前記オーディオ信号が、前記音色パターン整合しきい値を超える程度に、音声の前記特性音色パターンに整合すると決定することに応答して、前記オーディオ信号が前記コンピューティングデバイスの前記ユーザが発話していることを示す前記オーディオ特性基準を満たすと決定するステップと
を含む、請求項1に記載の方法。
【請求項３】
前記頭部筋肉活動信号が前記コンピューティングデバイスの前記ユーザが発話していることを示す筋肉運動基準を満たすかどうかを決定するステップが、前記頭部筋肉活動信号が音声を示す筋肉運動信号大きさしきい値を超えるかどうかを決定するステップを含む、請求項1に記載の方法。
【請求項４】
前記頭部筋肉活動信号が前記コンピューティングデバイスの前記ユーザが発話していることを示す筋肉運動基準を満たすかどうかを決定するステップが、
前記頭部筋肉活動信号を前記コンピューティングデバイスの前記ユーザが発話していることを示す筋肉運動信号パターンと比較するステップと、
前記頭部筋肉活動信号が、筋肉活動パターン整合しきい値を超える程度に、前記コンピューティングデバイスの前記ユーザが発話していることを示す前記筋肉運動信号パターンに整合するかどうかを決定するステップと、
前記頭部筋肉活動信号が、前記筋肉活動パターン整合しきい値を超える程度に、前記コンピューティングデバイスの前記ユーザが発話していることを示す前記筋肉運動信号パターンに整合すると決定することに応答して、前記頭部筋肉活動信号が、前記コンピューティングデバイスの前記ユーザが発話していることを示す前記筋肉運動基準を満たすと決定するステップと
を含む、請求項1に記載の方法。
【請求項５】
前記コンピューティングデバイスの前記ユーザが発話していることを示す前記筋肉運動信号パターンが、前記ユーザによるトレーニングから学習され、前記コンピューティングデバイスのメモリ内に記憶された頭部筋肉活動信号を含む、請求項4に記載の方法。
【請求項６】
メモリと、
マイクロフォンと、
筋肉運動検出器と、
前記メモリと、前記マイクロフォンと、前記筋肉運動検出器とに結合されたプロセッサと
を含む、コンピューティングデバイスであって、前記プロセッサが、
前記マイクロフォンからオーディオ信号を受信することと、
前記マイクロフォンから前記オーディオ信号を受信するのと同時に、前記コンピューティングデバイスのユーザの頭部筋肉活動を測定するように構成され、配置された前記筋肉運動検出器から頭部筋肉活動信号を受信することと、
前記オーディオ信号が前記ユーザが前記コンピューティングデバイスにオーディオコマンドを発信していることを示すオーディオ特性基準を満たすかどうか決定することであって、前記オーディオ特性基準が、前記ユーザが前記コンピューティングデバイスにオーディオコマンドを発信していることを示す第1の2乗平均(RMS)しきい値レベルを含む、決定することと、
前記頭部筋肉活動信号が前記コンピューティングデバイスの前記ユーザが発話していることを示す筋肉運動基準を満たすかどうかを決定することと、
前記オーディオ信号が前記ユーザが前記コンピューティングデバイスにオーディオコマンドを発信していることを示す前記オーディオ特性基準を満たすことと、前記頭部筋肉活動信号が前記コンピューティングデバイスの前記ユーザが発話していることを示す前記筋肉運動基準を満たすことの両方を決定することに応答して、ボイス認識アルゴリズムによって前記オーディオ信号を処理することであって、前記オーディオ信号が、前記オーディオ信号のRMSレベルが前記第1のRMSしきい値レベルを超えないとき、前記オーディオ特性基準を満たす、処理することと、
前記オーディオ信号が前記ユーザが前記コンピューティングデバイスにオーディオコマンドを発信していることを示す前記オーディオ特性基準を満たさないか、または前記頭部筋肉活動信号が前記コンピューティングデバイスの前記ユーザが発話していることを示す前記筋肉運動基準を満たさないかのどちらかの間に、前記ボイス認識アルゴリズムによって前記オーディオ信号を処理しないことであって、前記オーディオ信号が、前記オーディオ信号の前記RMSレベルが前記第1のRMSしきい値レベルを超えるとき、前記オーディオ特性基準を満たさない、
処理しないことと
を含む動作を実行するためのプロセッサ実行可能命令で構成される、コンピューティングデバイス。
【請求項７】
前記プロセッサが、前記オーディオ信号が前記ユーザが前記コンピューティングデバイスにオーディオコマンドを発信していることを示すオーディオ特性基準を満たすかどうかを決定することが、
前記オーディオ信号を音声の特性音色パターンと比較することと、
前記オーディオ信号が、音色パターン整合しきい値を超える程度に、音声の前記特性音色パターンに整合するかどうかを決定することと、
前記オーディオ信号が、前記音色パターン整合しきい値を超える程度に、音声の前記特性音色パターンに整合すると決定することに応答して、前記オーディオ信号が前記コンピューティングデバイスの前記ユーザが発話していることを示す前記オーディオ特性基準を満たすと決定することと
を含むように動作を実行するためのプロセッサ実行可能命令で構成される、請求項6に記載のコンピューティングデバイス。
【請求項８】
前記プロセッサが、前記頭部筋肉活動信号が前記コンピューティングデバイスの前記ユーザが発話していることを示す筋肉運動基準を満たすかどうかを決定することが、前記頭部筋肉活動信号が音声を示す筋肉運動信号大きさしきい値を超えるかどうかを決定することを含むように動作を実行するためのプロセッサ実行可能命令で構成される、請求項6に記載コンピューティングデバイス。
【請求項９】
前記プロセッサが、前記頭部筋肉活動信号が前記コンピューティングデバイスの前記ユーザが発話していることを示す筋肉運動基準を満たすかどうかを決定することが、
前記頭部筋肉活動信号を前記コンピューティングデバイスの前記ユーザが発話していることを示す筋肉運動信号パターンと比較することと、
前記頭部筋肉活動信号が、筋肉活動パターン整合しきい値を超える程度に、前記コンピューティングデバイスの前記ユーザが発話していることを示す前記筋肉運動信号パターンに整合するかどうかを決定することと、
前記頭部筋肉活動信号が、前記筋肉活動パターン整合しきい値を超える程度に、前記コンピューティングデバイスの前記ユーザが発話していることを示す前記筋肉運動信号パターンに整合すると決定することに応答して、前記頭部筋肉活動信号が、前記コンピューティングデバイスの前記ユーザが発話していることを示す前記筋肉運動基準を満たすと決定することと
を含むように動作を実行するためのプロセッサ実行可能命令で構成される、請求項6に記載のコンピューティングデバイス。
【請求項１０】
前記プロセッサが、前記コンピューティングデバイスの前記ユーザが発話していることを示す前記筋肉運動信号パターンが、前記ユーザによるトレーニングから学習され、前記コンピューティングデバイスの前記メモリ内に記憶された頭部筋肉活動信号を含むように動作を実行するためのコンピュータ実行可能命令で構成される、請求項9に記載のコンピューティングデバイス。
【請求項１１】
コンピューティングデバイスであって、
マイクロフォンからオーディオ信号を受信するための手段と、
前記マイクロフォンから前記オーディオ信号を受信するのと同時に、前記コンピューティングデバイスのユーザの頭部筋肉活動を測定するように構成され、配置された筋肉運動検出器から頭部筋肉活動信号を受信するための手段と、
前記オーディオ信号が前記ユーザが前記コンピューティングデバイスにオーディオコマンドを発信していることを示すオーディオ特性基準を満たすかどうか決定するための手段であって、前記オーディオ特性基準が、前記ユーザが前記コンピューティングデバイスにオーディオコマンドを発信していることを示す第1の2乗平均(RMS)しきい値レベルを含む、決定するための手段と、
前記頭部筋肉活動信号が前記コンピューティングデバイスの前記ユーザが発話していることを示す筋肉運動基準を満たすかどうかを決定するための手段と、
前記オーディオ信号が前記ユーザが前記コンピューティングデバイスにオーディオコマンドを発信していることを示す前記オーディオ特性基準を満たすことと、前記頭部筋肉活動信号が前記コンピューティングデバイスの前記ユーザが発話していることを示す前記筋肉運動基準を満たすことの両方を決定することに応答して、ボイス認識アルゴリズムによって前記オーディオ信号を処理するための手段であって、前記オーディオ信号が、前記オーディオ信号のRMSレベルが前記第1のRMSしきい値レベルを超えないとき、前記オーディオ特性基準を満たす、処理するための手段と、
前記オーディオ信号が前記ユーザが前記コンピューティングデバイスにオーディオコマンドを発信していることを示す前記オーディオ特性基準を満たさないか、または前記頭部筋肉活動信号が前記コンピューティングデバイスの前記ユーザが発話していることを示す前記筋肉運動基準を満たさないかのどちらかの間に、前記ボイス認識アルゴリズムによって前記オーディオ信号を処理しないための手段であって、前記オーディオ信号が、前記オーディオ信号の前記RMSレベルが前記第1のRMSしきい値レベルを超えるとき、前記オーディオ特性基準を満たさない、処理しないための手段と
を含む、コンピューティングデバイス。
【請求項１２】
前記オーディオ信号が前記ユーザが前記コンピューティングデバイスにオーディオコマンドを発信していることを示すオーディオ特性基準を満たすかどうかを決定するための手段が、
前記オーディオ信号を音声の特性音色パターンと比較するための手段と、
前記オーディオ信号が、音色パターン整合しきい値を超える程度に、音声の前記特性音色パターンに整合するかどうかを決定するための手段と、
前記オーディオ信号が、前記音色パターン整合しきい値を超える程度に、音声の前記特性音色パターンに整合すると決定することに応答して、前記オーディオ信号が前記コンピューティングデバイスの前記ユーザが発話していることを示す前記オーディオ特性基準を満たすと決定するための手段と
を含む、請求項11に記載のコンピューティングデバイス。
【請求項１３】
前記頭部筋肉活動信号が前記コンピューティングデバイスの前記ユーザが発話していることを示す筋肉運動基準を満たすかどうかを決定するための手段が、前記頭部筋肉活動信号が音声を示す筋肉運動信号大きさしきい値を超えるかどうかを決定するための手段を含む、請求項11に記載のコンピューティングデバイス。
【請求項１４】
前記頭部筋肉活動信号が前記コンピューティングデバイスの前記ユーザが発話していることを示す筋肉運動基準を満たすかどうかを決定するための手段が、
前記頭部筋肉活動信号を前記コンピューティングデバイスの前記ユーザが発話していることを示す筋肉運動信号パターンと比較するための手段と、
前記頭部筋肉活動信号が、筋肉活動パターン整合しきい値を超える程度に、前記コンピューティングデバイスの前記ユーザが発話していることを示す前記筋肉運動信号パターンに整合するかどうかを決定するための手段と、
前記頭部筋肉活動信号が、前記筋肉活動パターン整合しきい値を超える程度に、前記コンピューティングデバイスの前記ユーザが発話していることを示す前記筋肉運動信号パターンに整合すると決定することに応答して、前記頭部筋肉活動信号が、前記コンピューティングデバイスの前記ユーザが発話していることを示す前記筋肉運動基準を満たすと決定するための手段と
を含む、請求項11に記載のコンピューティングデバイス。
【請求項１５】
前記コンピューティングデバイスの前記ユーザが発話していることを示す前記筋肉運動信号パターンが、前記ユーザによるトレーニングから学習され、前記コンピューティングデバイスのメモリ内に記憶された頭部筋肉活動信号を含む、請求項14に記載のコンピューティングデバイス。
【請求項１６】
コンピューティングデバイスのプロセッサに、
マイクロフォンからオーディオ信号を受信することと、
前記マイクロフォンから前記オーディオ信号を受信するのと同時に、前記コンピューティングデバイスのユーザの頭部筋肉活動を測定するように構成され、配置された筋肉運動検出器から頭部筋肉活動信号を受信することと、
前記オーディオ信号が前記ユーザが前記コンピューティングデバイスにオーディオコマンドを発信していることを示すオーディオ特性基準を満たすかどうか決定することであって、前記オーディオ特性基準が、前記ユーザが前記コンピューティングデバイスにオーディオコマンドを発信していることを示す第1の2乗平均(RMS)しきい値レベルを含む、決定することと、
前記頭部筋肉活動信号が前記コンピューティングデバイスの前記ユーザが発話していることを示す筋肉運動基準を満たすかどうかを決定することと、
前記オーディオ信号が前記ユーザが前記コンピューティングデバイスにオーディオコマンドを発信していることを示す前記オーディオ特性基準を満たすことと、前記頭部筋肉活動信号が前記コンピューティングデバイスの前記ユーザが発話していることを示す前記筋肉運動基準を満たすことの両方を決定することに応答して、ボイス認識アルゴリズムによって前記オーディオ信号を処理することであって、前記オーディオ信号が、前記オーディオ信号のRMSレベルが前記第1のRMSしきい値レベルを超えないとき、前記オーディオ特性基準を満たす、処理することと、
前記オーディオ信号が前記ユーザが前記コンピューティングデバイスにオーディオコマンドを発信していることを示す前記オーディオ特性基準を満たさないか、または前記頭部筋肉活動信号が前記コンピューティングデバイスの前記ユーザが発話していることを示す前記筋肉運動基準を満たさないかのどちらかの間に、前記ボイス認識アルゴリズムによって前記オーディオ信号を処理しないことであって、前記オーディオ信号が、前記オーディオ信号の前記RMSレベルが前記第1のRMSしきい値レベルを超えるとき、前記オーディオ特性基準を満たさない、処理しないことと
を含む動作を実行させるように構成されたプロセッサ実行可能命令を記憶した、プロセッサ可読記録媒体。
【請求項１７】
前記記憶されたプロセッサ実行可能命令が、前記コンピューティングデバイスに、前記オーディオ信号が前記ユーザが前記コンピューティングデバイスにオーディオコマンドを発信していることを示すオーディオ特性基準を満たすかどうかを決定することが、
前記オーディオ信号を音声の特性音色パターンと比較することと、
前記オーディオ信号が、音色パターン整合しきい値を超える程度に、音声の前記特性音色パターンに整合するかどうかを決定することと、
前記オーディオ信号が、前記音色パターン整合しきい値を超える程度に、音声の前記特性音色パターンに整合すると決定することに応答して、前記オーディオ信号が前記コンピューティングデバイスの前記ユーザが発話していることを示す前記オーディオ特性基準を満たすと決定することと
を含むような動作を実行させるように構成される、請求項16に記載のプロセッサ可読記録媒体。
【請求項１８】
前記記憶されたプロセッサ実行可能命令が、前記コンピューティングデバイスに、前記頭部筋肉活動信号が前記コンピューティングデバイスの前記ユーザが発話していることを示す筋肉運動基準を満たすかどうかを決定するステップが、前記頭部筋肉活動信号が音声を示す筋肉運動信号大きさしきい値を超えるかどうかを決定することを含むように動作を実行させるように構成される、請求項16に記載のプロセッサ可読記録媒体。
【請求項１９】
前記記憶されたプロセッサ実行可能命令が、前記コンピューティングデバイスに、前記頭部筋肉活動信号が前記コンピューティングデバイスの前記ユーザが発話していることを示す筋肉運動基準を満たすかどうかを決定することが、
前記頭部筋肉活動信号を前記コンピューティングデバイスの前記ユーザが発話していることを示す筋肉運動信号パターンと比較することと、
前記頭部筋肉活動信号が、筋肉活動パターン整合しきい値を超える程度に、前記コンピューティングデバイスの前記ユーザが発話していることを示す前記筋肉運動信号パターンに整合するかどうかを決定することと、
前記頭部筋肉活動信号が、前記筋肉活動パターン整合しきい値を超える程度に、前記コンピューティングデバイスの前記ユーザが発話していることを示す前記筋肉運動信号パターンに整合すると決定することに応答して、前記頭部筋肉活動信号が、前記コンピューティングデバイスの前記ユーザが発話していることを示す前記筋肉運動基準を満たすと決定することと
を含むように動作を実行させるように構成される、請求項16に記載のプロセッサ可読記録媒体。
【請求項２０】
前記記憶されたプロセッサ実行可能命令が、前記コンピューティングデバイスに、前記コンピューティングデバイスの前記ユーザが発話していることを示す前記筋肉運動信号パターンが、前記ユーザによるトレーニングから学習され、前記コンピューティングデバイスのメモリ内に記憶された頭部筋肉活動信号を含むように動作を実行させるように構成される、請求項19に記載のプロセッサ可読記録媒体。